(57)【要約】【課題】例え被測定物とメータ本体の位置が離れていても、無駄な動作を少なくして、ファンクション切替のために測定プローブを被測定物から離す必要をなくして、極めて操作性に優れたデジタルマルチメータを提供する。【解決手段】テストリード３（３Ａ、３Ｂ）は、プローブケーブル３０（３０Ａ、３０Ｂ）を介してメータ本体２に接続された測定プローブ３１（３１Ａ、３１Ｂ）を備え、少なくとも一方のテストリードの測定プローブ３１Ａに、電圧、電流、電気抵抗等の測定対象を切り替えるために、メータ本体２の測定切替スイッチ４とは異なる第二の測定切替スイッチ２０を設ける。【選択図】図１
2010133798.tif 000002
【特許請求の範囲】
【請求項１】
電圧、電流、電気抵抗等の測定対象を切り替える測定切替スイッチ及びデジタル表示部を備えたメータ本体に接続された一対のテストリードを用いて被測定物の電圧、電流、電気抵抗等を測定するデジタルマルチメータにおいて、
前記テストリードは、プローブケーブルを介して前記メータ本体に接続された測定プローブを備え、
前記少なくとも一方のテストリードの前記測定プローブに、電圧、電流、電気抵抗等の測定対象を切り替えるために、前記メータ本体の前記測定切替スイッチとは異なる第二の測定切替スイッチを設けたことを特徴とするデジタルマルチメータ。
【請求項２】
前記測定プローブは、測定時にユーザが手で持って操作する把持部と電極部とを備え、前記第二の測定切替スイッチは、前記把持部に設置することを特徴とする請求項１に記載のデジタルマルチメータ。
【請求項３】
前記第二の測定切替スイッチは、１回押す毎に異なる測定対象に切り替えることができることを特徴とする請求項１又は２に記載のデジタルマルチメータ。
【請求項４】
前記メータ本体の前記測定切替スイッチは、測定対象毎に設けられたボタンスイッチであることを特徴とする請求項１〜３のいずれかの項に記載のデジタルマルチメータ。
【発明の詳細な説明】
【技術分野】
【０００１】
本発明は、測定切替スイッチにより電圧、電流、電気抵抗等の測定が可能であり、測定結果をデジタル表示部により表示するデジタルマルチメータに関するものである。
【背景技術】
【０００２】
従来、測定切替スイッチにより電圧、電流、電気抵抗等の測定が可能であり、測定結果をデジタル表示部により表示するデジタルマルチメータが広く使用されている。デジタルマルチメータの一例を、本願添付の図３に示す。
【０００３】
本例に示すように、通常、デジタルマルチメータ１は、メータ本体２と、メータ本体２に接続された一対のテストリード３（３Ａ、３Ｂ）とにて構成される。メータ本体２には、測定切替スイッチ４及びデジタル表示部５などが設けられている。
【０００４】
ユーザは、メータを使用するに際して、メータ本体２に設けられた、本例ではロータリスイッチとされる測定切替スイッチ４を回して、測定対象、即ち、ファンクションを設定する。つまり、デジタルマルチメータ１は、図示するように、例えば、直流電圧（ＤＣＶ）と交流電圧（ＡＣＶ）が測定可能であって、ロータリスイッチ４を「ＯＦＦ」位置から、「ＡＣＶ」位置、或いは、「ＤＣＶ」位置へと回し、ファンクションを設定する。
【０００５】
その後、測定に際しては、一般に、ユーザは、メータ本体２をテーブル等に置き、テストリード３（３Ａ、３Ｂ）をそれぞれの手に持って、被測定物に接触させて測定する。或いは、片手にメータ本体２とテストリード１本を持ち、もう一方の手に他の１本のテストリードを持って、被測定物に接触させて測定する。この状態で、視線を、ＬＣＤ等とされるデジタル表示部５に移して、表示値、例えば、本例では「１００．０Ｖ」を読む。
【０００６】
しかしながら、測定中において、測定対象を「ＡＣＶ」から他のファンクション、即ち、本例では直流電圧「ＤＣＶ」に切り替えたい場合には、ユーザは、被測定物からテストリードを離し、テストリードを持った手を用いてロータリスイッチ４を回して、本例では、「ＤＣＶ」へとファンクションを切り替える。その後、再度被測定物にテストリードを接触させて測定する。
【０００７】
このように、従来のデジタルマルチメータ１では、被測定物とメータ本体２の位置が離れている程、無駄な動作が多い。また、被測定物の接触に慎重さが必要な場合、ファンクション切替によって接触動作を最初から行うことが必要とされ、面倒である。
【０００８】
そこで、例えば、本願添付の図４に示すように、特許文献１には、電圧、電流、抵抗等の測定対象を切り替えるロータリスイッチ４及びデジタル表示部５を備えたテスタ本体２に対してテストリード３（３Ａ、３Ｂ）を接続し、しかも、表示駆動テーブル７を介してデジタル表示器６を接続したデジタルテスタ１を開示している。
【特許文献１】特開平５−２４９１４２号公報
【発明の開示】
【発明が解決しようとする課題】
【０００９】
特許文献１に記載のデジタルテスタ１は、デジタル表示器６をテストリード３の測定プローブ３１（３１Ａ、３１Ｂ）近傍に位置させることができるので、測定の際の視線の移動量は少なくて済む。
【００１０】
しかしながら、測定対象を変えるためにファンクション切替を行う場合には、従来と同様に、ユーザは、被測定物から測定プローブ３１（３１Ａ、３１Ｂ）を離し、測定プローブを持った手を用いてロータリスイッチ４を回して、ファンクションを切り替える。その後、再度被測定物に測定プローブ３１（３１Ａ、３１Ｂ）を接触させて測定する。
【００１１】
特許文献１のデジタルテスタも又、被測定物とメータ本体２の位置が離れている程、無駄な動作が多く。また、被測定物の接触に慎重さが必要な場合、ファンクション切替によって接触動作を最初から行うことが必要とされ、面倒である。
【００１２】
そこで、本発明の目的は、例え被測定物とメータ本体の位置が離れていても、無駄な動作を少なくして、ファンクション切替のために測定プローブを被測定物から離す必要をなくして、極めて操作性に優れたデジタルマルチメータを提供することである。
【課題を解決するための手段】
【００１３】
上記目的は本発明に係るデジタルマルチメータにて達成される。要約すれば、本発明は、電圧、電流、電気抵抗等の測定対象を切り替える測定切替スイッチ及びデジタル表示部を備えたメータ本体に接続された一対のテストリードを用いて被測定物の電圧、電流、電気抵抗等を測定するデジタルマルチメータにおいて、
前記テストリードは、プローブケーブルを介して前記メータ本体に接続された測定プローブを備え、
前記少なくとも一方のテストリードの前記測定プローブに、電圧、電流、電気抵抗等の測定対象を切り替えるために、前記メータ本体の前記測定切替スイッチとは異なる第二の測定切替スイッチを設けたことを特徴とするデジタルマルチメータである。
【００１４】
本発明の一実施態様によれば、前記測定プローブは、測定時にユーザが手で持って操作する把持部と電極部とを備え、前記第二の測定切替スイッチは、前記把持部に設置する。
【００１５】
本発明の他の実施態様によれば、前記第二の測定切替スイッチは、１回押す毎に異なる測定対象に切り替えることができる。
【００１６】
本発明の他の実施態様によれば、前記メータ本体の前記測定切替スイッチは、測定対象毎に設けられたボタンスイッチである。
【発明の効果】
【００１７】
本発明によれば、例え被測定物とメータ本体の位置が離れていても、無駄な動作を少なくして、ファンクション切替のために測定プローブを被測定物から離す必要はなく、極めて操作性に優れている。
【発明を実施するための最良の形態】
【００１８】
以下、本発明に係るデジタルマルチメータを図面に則して更に詳しく説明する。
【００１９】
実施例１
図１（ａ）、（ｂ）を参照して、本発明に係るデジタルマルチメータの一実施例について説明する。
【００２０】
図１（ａ）にて、本実施例のデジタルマルチメータ１は、メータ本体２と、メータ本体２から延びた一対のテストリード３（３Ａ、３Ｂ）とを備えている。
【００２１】
メータ本体２には、測定対象を切り替えるために測定対象毎に複数のボタン４１ａ〜４１ｆを備えたボタン式の測定切替スイッチ４と、測定結果を表示するＬＣＤ（液晶ディスプレー）とされるデジタル表示部５とを備えている。また、メータ本体内部には、電気回路部１０が組み込まれている。
【００２２】
本実施例にて測定切替スイッチ４は、即ち、ファンクション切替ボタンとしては、図示するように、ＯＮ、ＯＦＦスイッチである「ＰＯＷＥＲ」ボタン４１ａ、ＡＣ（交流）電圧測定用の「ＡＣＶ」ボタン４１ｂ、ＤＣ（直流）電圧測定用の「ＤＣＶ」ボタン４１ｃ、電流測定用の「Ａ」ボタン４１ｄ、抵抗測定用の「Ω」ボタン４１ｅ、及び、導通チェックのための「導通チェック」ボタン４１ｆ、を備えている。勿論、本発明は、これらのボタンに限定されるものではない。必要に応じて、その他のファンクション切替ボタンを用意することができる。また、ファンクションを切り替える毎に、そのファンクションの内容がデジタル表示部５に表示される。
【００２３】
本実施例のデジタルマルチメータ１では、ユーザは、メータを使用するに際して、先ず、メータ本体２に設けられた電源スイッチである「ＰＯＷＥＲ」ボタン４１ａを押して電源を「ＯＮ」とする。
【００２４】
次いで、メータ本体２に設けられたファンクション切替ボタン４の中の所望のボタンスイッチを押すことによって、測定対象項目、即ち、ファンクションを設定する。例えば、「ＡＣＶ」ボタン４１ｂを押すことによって、ＡＣ（交流）電圧測定が可能となる。
【００２５】
次いで、例えば、電気抵抗の測定を必要とする場合には抵抗測定用の「Ω」ボタン４１ｅを押すことにより、測定対象、即ち、ファンクションが、従前の設定から切り替わり、所望のファンクション「Ω」に設定される。
【００２６】
電気回路部１０は、図２に示すように、テストリード３（３Ａ、３Ｂ）からの信号により被測定物の電圧、電流、電気抵抗等を測定し、デジタル表示部５にその結果を表示させる測定回路１１と、測定切替スイッチ４の指示に対応して、ファンクション設定信号を測定回路１１に送信するファンクション設定回路１２などを有している。電気回路部１０については、更に後述する。
【００２７】
図１（ａ）をも参照すると、各テストリード３（３Ａ、３Ｂ）は、それぞれ、一端がメータ本体２の電気回路部１０に接続されたプローブケーブル３０（３０Ａ、３０Ｂ）と、プローブケーブル３０（３０Ａ、３０Ｂ）の他端にそれぞれ接続された測定プローブ３１（３１Ａ、３１Ｂ）とにて構成される。
【００２８】
プローブケーブル３０（３０Ａ、３０Ｂ）は、電気回路部１０に対して取り外し自在に差し込まれる接続端子方式でも良く、電気回路部１０に対して固定的に接続された固定式のものでも良い。
【００２９】
測定プローブ３１（３１Ａ、３１Ｂ）は、それぞれ、ユーザが手で持って操作する把持部３１Ａａ、３１Ｂａと、電極部３１Ａｂ、３１Ｂｂとを備えている。電極部３１Ａｂ、３１Ｂｂは、図２に示すように、プローブケーブル３０Ａ、３０Ｂ内に設けられているリード線４１Ａ、４１Ｂにて電気回路部１０の測定回路１１に電気的に接続されている。
【００３０】
更に、本発明によれば、少なくとも一方のテストリードの測定プローブには、電圧、電流、電気抵抗等の測定対象を切り替えるために、メータ本体２の測定切替スイッチ４とは異なる第二の測定切替スイッチ２０が設けられている。
【００３１】
つまり、本実施例では、テストリード３Ａの測定プローブ３１Ａの把持部３１Ａａに、測定切替スイッチ２０が取り付けられる。スイッチ２０は、プローブケーブル３０Ａ内に設けられている信号線４２にて電気回路部１０のファンクション設定回路１２に電気的に接続されている。スイッチ２０は、押下することにより、ファンクション設定回路１２を作動させる。従って、スイッチ２０の指示に対応して、ファンクション設定回路１２はファンクション設定信号を測定回路１１に送信する。
【００３２】
また、本実施例によれば、第二の測定切替スイッチ２０は、ボタンスイッチとされ、図１（ｂ）に示すように、ボタンスイッチ２０を押す毎に、ファンクションを設定する構成とされる。つまり、本実施例では、スイッチ２０を１回押す毎に、測定対象は、ＤＣ（直流）電圧測定、ＡＣ（交流）電圧測定、電流（Ａ）測定、電気抵抗（Ω）測定、導通チェック、次いで、最初のＤＣ（直流）電圧測定へと戻るようにファンクションが切り替わる。
【００３３】
更に、本実施例では、スイッチ２０を押す毎に、設定されるファンクションの内容がデジタル表示部５に表示される。従って、ユーザは、その表示を確認しながらファンクションを切替ることができる。
【００３４】
勿論、必要に応じて、第二の測定切替スイッチ２０は、複数個設けることも可能である。又、場合によっては、両方のテストリード３（３Ａ、３Ｂ）に設置しても良い。
【００３５】
次に、本実施例のデジタルマルチメータ１の使用法について説明する。
【００３６】
先ず、ユーザは、上述したように、メータ１を使用するに際して、電源スイッチである「ＰＯＷＥＲ」ボタン４１ａを押して電源を「ＯＮ」とする。
【００３７】
次いで、メータ本体２に設けられた所望のボタンスイッチを押すことによって、測定対象項目、即ち、ファンクションを設定する。
【００３８】
その後、メータ本体２をテーブル等に置き、テストリード３（３Ａ、３Ｂ）をそれぞれの手に持って、被測定物に接触させて測定する。測定結果は、デジタル表示部５に表示される表示値を読むことによって得られる。
【００３９】
ここで、測定中において、他のファンクションに切り替えたい場合には、ユーザは、一方の測定プローブに設けられた、本実施例では測定プローブ３１Ａに設けられた第二の測定切替スイッチを２０操作することによって、新たなファンクションに設定することができる。
【００４０】
第二の測定切替スイッチ２０は、測定時にテストリードを握り替えることなく操作し得る位置に配置されている。
【００４１】
メータ本体２のデジタル表示部５には、現在のファンクションを意味する表示アイコンが設けられており、ユーザは、その表示を確認しながら、ファンクションを切り替えることができる。
【００４２】
ユーザは、使用するファンクションに切り替えたら、新たな測定を行う。
【００４３】
従って、本実施例のデジタルマルチメータ１によれば、被測定物とメータ本体２の位置が離れていても無駄な動作が少なく、また、被測定物の接触に慎重さが必要な場合であっても、ファンクション切替によって接触動作を最初から行うといった面倒さが改善される。
【図面の簡単な説明】
【００４４】
【図１】図１（ａ）は、本発明に係るデジタルマルチメータの一実施例の全体構成図であり、図１（ｂ）は、ファンクション切替の一例を示す図である。
【図２】電気回路図の一例を示すブロック図である。
【図３】従来のデジタルマルチメータの一例を示す全体構成図である。
【図４】従来のデジタルマルチメータの他の例を示す全体構成図である。
【符号の説明】
【００４５】
１                        デジタルマルチメータ
２                        メータ本体
３（３Ａ、３Ｂ）          テストリード
４（４ａ〜４ｆ）          ボタンスイッチ（メータ本体の測定切替スイッチ）
５                        デジタル表示部
１０                      電気回路部
２０                      スイッチ（第二の測定切替スイッチ）
３０（３０Ａ、３０Ｂ）    プローブケーブル
３１（３１Ａ、３１Ｂ）    測定プローブ
３１Ａａ、３１Ｂａ        把持部
３１Ａｂ、３１Ｂｂ        電極部
【図１】
2010133798.tif 000003
【図２】
2010133798.tif 000004
【図３】
2010133798.tif 000005
【図４】
2010133798.tif 000006